(57)【要約】【課題】  従来に比べて構成が単純で製造コストが低いカプセル商品排出装置を提供する。【解決手段】  ストッカーに収容されたランダムに混ざり合った多数の商品入りカプセルから成るカプセル群から個々のカプセルを分離してストッカー外へ排出するカプセル商品排出装置であって、ストッカーの底壁に形成された開口と、ストッカー底壁の開口に重畳可能な開口を周方向に所定ピッチで複数有しストッカーの底部に配設された回転板と、回転板駆動装置と、ストッカー底壁の開口に対峙して回転板の上方に配設され、回転板の開口に嵌合したカプセルに係合すると弾性変形してカプセルをストッカー底壁方向へ付勢する邪魔部材と、邪魔部材と回転板上面との間の距離を可変調整する調整装置とを備える。【選択図】  図２
0003139071.tif 000002
【実用新案登録請求の範囲】
【請求項１】
ストッカーに収容されたランダムに混ざり合った多数の商品入りカプセルから成るカプセル群から個々のカプセルを分離してストッカー外へ排出するカプセル商品排出装置であって、ストッカーの底壁に形成された開口と、ストッカー底壁の開口に重畳可能な開口を周方向に所定ピッチで複数有しストッカーの底部に配設された回転板と、回転板駆動装置と、ストッカー底壁の開口に対峙して回転板の上方に配設され、回転板の開口に嵌合したカプセルに係合すると弾性変形してカプセルをストッカー底壁方向へ付勢する邪魔部材と、邪魔部材と回転板上面との間の距離を可変調整する調整装置とを備えることを特徴とするカプセル商品排出装置。
【請求項２】
邪魔部材はコイルバネであることを特徴とする請求項１に記載のカプセル商品排出装置。
【考案の詳細な説明】
【技術分野】
【０００１】
本考案は、カプセル商品自動販売機に使用されるカプセル商品排出装置に関するものである。
【背景技術】
【０００２】
ストッカーに収容されたランダムに混ざり合った多数の商品入りカプセルから成るカプセル群から個々のカプセルを分離してストッカー外へ排出するカプセル商品排出装置であって、ストッカーの底壁に形成された開口と、ストッカー底壁の開口に重畳可能な開口を周方向に所定ピッチで複数有しストッカーの底部に配設された回転板と、回転板駆動装置とを備えるカプセル商品排出装置が特許文献１等に開示されている。
カプセルを収容した回転板の開口が回転板の回転に伴ってストッカー底壁の開口に重畳する位置に到達すると、前記カプセルは、回転板の開口とストッカー底壁の開口とを通ってストッカーから下方へ排出される。
従来のカプセル商品排出装置においては、ストッカー底壁の開口の下方に且つ当該開口に隣接して配設した揺動部材を揺動駆動してストッカー底壁の開口の実質面積を可変制御することにより、回転板の開口寸法とストッカー底壁の開口寸法とを変更することなく、ストッカーに収容するカプセルの寸法の増減変更を可能にし、且つカプセル寸法を減少させた時に複数のカプセルが同時に回転板の開口とストッカー底壁の開口とを通ってストッカーから排出される事態の発生を防止していた。
【特許文献１】特開２００６−２６８２４７号公報
【考案の開示】
【考案が解決しようとする課題】
【０００３】
従来のカプセル商品排出装置には、カプセル寸法の変更に対処するために揺動部材と駆動装置とを配設していたので、構成が複雑であり製造コストが高いという問題があった。
本考案は上記問題に鑑みてなされたものであり、ストッカーに収容されたランダムに混ざり合った多数の商品入りカプセルから成るカプセル群から個々のカプセルを分離してストッカー外へ排出するカプセル商品排出装置であって、ストッカーの底壁に形成された開口と、ストッカー底壁の開口に重畳可能な開口を周方向に所定ピッチで複数有しストッカーの底部に配設された回転板と、回転板駆動装置とを備えるカプセル商品排出装置であって、従来に比べて構成が単純で製造コストが低いカプセル商品排出装置を提供することも目的とする。
【課題を解決するための手段】
【０００４】
上記課題を解決するために、本考案においては、ストッカーに収容されたランダムに混ざり合った多数の商品入りカプセルから成るカプセル群から個々のカプセルを分離してストッカー外へ排出するカプセル商品排出装置であって、ストッカーの底壁に形成された開口と、ストッカー底壁の開口に重畳可能な開口を周方向に所定ピッチで複数有しストッカーの底部に配設された回転板と、回転板駆動装置と、ストッカー底壁の開口に対峙して回転板の上方に配設され、回転板の開口に嵌合したカプセルに係合すると弾性変形してカプセルをストッカー底壁方向へ付勢する邪魔部材と、邪魔部材と回転板上面との間の垂直距離を可変調整する調整装置とを備えることを特徴とするカプセル商品排出装置を提供する。
カプセルが嵌合した回転板の開口の一部が回転板の回転に伴ってストッカー底壁の開口の一部に対峙する位置まで到達すると、邪魔部材がカプセルに係合し弾性変形してカプセルを下方へ付勢する。回転板が更に回転してカプセルが嵌合した開口が所定割合以上ストッカー底壁の開口に重畳すると、邪魔部材によって下方へ付勢されたカプセルが回転板の開口とストッカー底壁の開口とを通ってストッカーから下方へ押し出される。
カプセルが嵌合した回転板の開口がストッカー底壁の開口に所定割合以上重畳して回転板の開口に嵌合したカプセルがストッカーから排出される際に、当該カプセルのみならず当該カプセルの直上に在るカプセルもが、前記カプセルに続いてストッカーから排出される事態の発生が、ストッカー底壁の開口に対峙して回転板の上方に配設された邪魔部材の存在によって阻止される。
ストッカーに収容するカプセルの寸法を変更する場合には、回転板の開口に嵌合したカプセルの頂部よりも若干下方の部位に邪魔部材が当接するように、邪魔部材と回転板との間の距離を調整する。小さな寸法のカプセルをストッカーに収容する場合には、回転板の開口に２個のカプセルが同時に嵌合する可能性がある。この場合、一方のカプセルは最下部がストッカー底壁に当接した状態で回転板の開口に嵌合するが、他方のカプセルは前記一方のカプセルと開口縁との間に挟まれて半ば浮き上がった状態になる。邪魔部材は前記一方のカプセルの頂部よりも若干下方の部位に当接するように高さ調整されているので、前記一方のカプセルよりも上方へ浮き上がった前記他方のカプセルは邪魔部材の下方に潜り込むことができず、回転板の開口から排除される。この結果、回転板の開口寸法とストッカー底壁の開口寸法とを変更することなく、ストッカーに収容するカプセルの寸法の増減変更を可能にし、且つカプセル寸法を減少させた時に複数のカプセルが同時に回転板の開口とストッカー底壁の開口とを通ってストッカーから排出される事態の発生が防止される。
ストッカー底壁の開口の実質面積を可変制御する部材と当該部材の駆動装置が不要なので、従来のカプセル商品排出装置に比べて構成が単純であり、製造コストが低下する。
【０００５】
本考案の好ましい態様においては、邪魔部材はコイルバネである。
コイルバネは高さ調整する際に扱い易いので、邪魔部材として好適である。
【考案の効果】
【０００６】
ストッカーに収容するカプセルの寸法の変更に合わせて、回転板の開口に嵌合したカプセルの頂部よりも若干低い部位に邪魔部材が当接するように、邪魔部材と回転板との間の距離を調整しておけば、小さな寸法のカプセルをストッカーに収容して回転板の開口に２個のカプセルが同時に嵌合した場合、回転板の開口縁と最下部がストッカー底壁に当接した状態で回転板の開口に嵌合した一方のカプセルとの間に挟まれて半ば浮き上がった状態になった他方のカプセルを、邪魔部材を利用して回転板の開口から排除することができる。この結果、回転板の開口寸法とストッカー底壁の開口寸法とを変更することなく、ストッカーに収容するカプセルの寸法の増減変更を可能にし、且つカプセル寸法を減少させた時に複数のカプセルが同時に回転板の開口とストッカー底壁の開口とを通ってストッカーから排出される事態の発生が防止される。
【考案を実施するための最良の形態】
【０００７】
図１に示すように、カプセル商品自動販売機のストッカーＡは、上端が開放された箱型のカプセル収容部１と、カプセル収容部１の開放された上端を塞ぐ蓋１’とを備えている。カプセル収容部１の前端壁には左右一対の透明窓１ａが形成されており、左右の側壁にはそれぞれ透明窓１ｂが形成されている。
【０００８】
図２に示すように、カプセル収容部１の内部空間は、前後に延在する壁１ｃにより右区画１ｄと左区画１ｄ’とに分割されている。右区画１ｄ、左区画１ｄ’の底壁に円形開口１ｅ、１ｅ’が形成されている。
円形開口１ｅに重畳可能な円形開口１ｅと同一寸法の円形開口２ａ、２ｂ、２ｃを周方向に１２０度ピッチで有する回転円板２と、回転円板２駆動用の図示しないモータとが、右区画１ｄの底壁上に配設されている。円形開口１ｅ’に重畳可能な円形開口１ｅ’と同一寸法の円形開口２ａ’、２ｂ’、２ｃ’を周方向に１２０度ピッチで有する回転円板２’と、回転円板２’駆動用の図示しないモータとが、左区画１ｄ’の底壁上に配設されている。
回転円板２、２’には、中心部から放射状に斜め上方へ延びるカプセル攪拌用の複数の棒状部材３、３’が取り付けられている。
【０００９】
円形開口１ｅに対峙して、コイルバネから成る棒状の邪魔部材４が、開口１ｅの上空を横切って、回転円板２の上方に、配設されている。邪魔部材４の一端は右区画１ｄの底壁に立設されたボルト５の頂部に係止されており、他端は図３に示すように右区画１ｄの底壁に立設された爪部材６の上下に間隔を隔てた２個の係止溝６ａ、６ｂの何れか一方に着脱可能に係止している。
円形開口１ｅ’に対峙して、コイルバネから成る棒状の邪魔部材４’が、開口１ｅ’の上空を横切って、回転円板２’の上方に、配設されている。邪魔部材４’の一端は左区画１ｄ’の底壁に立設されたボルト５’の頂部に係止されており、他端は左区画１ｄ’の底壁に立設された爪部材６’の上下に間隔を隔てた２個の係止溝６ａ’、６ｂ’の何れか一方に着脱可能に係止している。
【００１０】
開口１ｅ、回転円板２、回転円板２の開口２ａ、２ｂ、２ｃ、回転円板２駆動用のモータ、棒状部材３、邪魔部材４、ボルト５、爪部材６によって右区画１ｄからカプセル商品を排出するカプセル商品排出装置が構成されており、開口１ｅ’、回転円板２’、回転円板２’の開口２ａ’、２ｂ’、２ｃ’、回転円板２’駆動用のモータ、棒状部材３’、邪魔部材４’、ボルト５’、爪部材６’によって左区画１ｄ’からカプセル商品を排出するカプセル商品排出装置が構成されている。
【００１１】
図４に示すように、最低部が回転円板２と同一高さ位置に位置決めされた傾斜板７が右区画１ｄの底部を覆っている。この結果、右区画１ｄの下部はホッパーを形成している。最低部が回転円板２’と同一高さ位置に位置決めされた傾斜板７’が左区画１ｄ’の底部を覆っている。この結果、左区画１ｄ’の下部はホッパーを形成している。
【００１２】
右区画１ｄに配設されたカプセル商品排出装置に着目して、当該装置の作動を説明する。尚、左区画１ｄ’のカプセル商品排出装置の作動も以下に説明する作動と同様である。
それぞれが種類の異なる１個の玩具を収納した多数の球形の透明カプセルがランダムに混ざり合って、カプセル収容部１の右区画１ｄに収納されている。右区画１ｄに収容することができる大小２種類のカプセル中の、大寸法のカプセルが右区画１ｄに収容されている。邪魔部材４の他端は、爪部材６の２個の係止溝中上方の係止溝６ａに係止している。
図示しないモータが作動し、回転円板２が回転する。回転円板２に伴って回転する棒状部材３により右区画１ｄ内のカプセルが攪拌され、回転円板２の開口２ａ、２ｂ、２ｃにそれぞれ１個のカプセルが嵌合する。カプセルの最下部は右区画１ｄの底壁に当接しており、カプセルの下部のみが開口２ａ、２ｂ、２ｃに遊嵌合している。
【００１３】
以下、開口２ａに嵌合したカプセルに着目してカプセル商品排出装置の作動を説明する。尚開口２ｂ、２ｃに嵌合したカプセルに着目した場合でも、カプセル商品排出装置の作動は、以下に説明する作動と同様である。
回転円板２の開口２ａの一部が回転円板２の回転に伴って右区画１ｄ底壁の開口１ｅの一部に対峙する位置まで到達すると、開口２ａに嵌合したカプセルの頂部よりも若干下方の部位に上方から邪魔部材４が当接する。回転板２の回転に伴って邪魔部材４の当接部が上方へ移動し、邪魔部材４は弾性変形してカプセルを下方へ付勢する。
回転円板２が更に回転してカプセルが嵌合した開口２ａが所定割合以上右区画１ｄ底壁の開口１ｅに重畳すると、邪魔部材４によって下方へ付勢されたカプセルが回転円板２の開口２ａと右区画１ｄ底壁の開口１ｅとを通って右区画１ｄから下方へ押し出される。邪魔部材４がカプセルを下方へ付勢するので、カプセルは確実に開口２ａと開口１ｅとを通って右区画１ｄから配設される。
右区画１ｄから下方へ排出されたカプセルは、カプセル商品自動販売機の図示しない取り出し口に搬出され、商品購入者によって取り出し口から取り出される。
【００１４】
カプセルが嵌合した回転円板２の開口２ａが右区画１ｄ底壁の開口１ｅに所定割合以上重畳して回転円板２の開口２ａに嵌合したカプセルが右区画１ｄから排出される際に、当該カプセルのみならず当該カプセルの直上に在るカプセルもが、前記カプセルに続いて、開口２ａと開口１ｅとを通って右区画１ｄから排出される事態の発生が、右区画１ｄ底壁の開口１ｅに対峙して回転円板２の上方に配設された邪魔部材４の存在によって阻止される。
【００１５】
右区画１ｄに収容するカプセルを小寸法のカプセルに変更する場合には、邪魔部材４の他端を、爪部材６の２個の係止溝中下方の係止溝６ｂに係止させる。
回転円板２の開口２ａの一部が回転円板２の回転に伴って右区画１ｄ底壁の開口１ｅの一部に対峙する位置まで到達すると、最下部が右区画１ｄ底壁に当接した状態で開口２ａに遊嵌合した小寸法のカプセルの頂部よりも若干下方の部位に上方から邪魔部材４が当接する。回転板２の回転に伴って邪魔部材４の当接部が上方へ移動し、邪魔部材４は弾性変形して小寸法カプセルを下方へ付勢する。
小さな寸法のカプセルを右区画１ｄに収容すると、回転円板２の開口２ａに２個のカプセルが同時に嵌合する場合が生じ得る。この場合、一方のカプセルは最下部が右区画１ｄ底壁に当接した状態で回転円板２の開口２ａに遊嵌合するが、他方のカプセルは前記一方のカプセルと開口２ａの縁部との間に挟まれて半ば浮き上がった状態になる。邪魔部材４は、最下部が右区画１ｄ底壁に当接した状態で回転円板２の開口２ａに遊嵌合した前記一方のカプセルの頂部よりも若干下方の部位に当接するように高さ調整されているので、前記一方のカプセルよりも上方へ浮き上がった前記他方のカプセルは邪魔部材４の下方に潜り込むことができず、回転円板２の開口２ａから排除される。この結果、回転円板２の開口２ａの寸法と右区画１ｄ底壁の開口１ｅの寸法とを変更することなく、右区画１ｄに収容するカプセルの寸法の増減変更を可能にし、且つカプセル寸法を減少させた時に複数のカプセルが同時に回転円板２の開口２ａと右区画１ｄ底壁の開口１ｅとを通って右区画１ｄから排出される事態の発生が防止される。
右区画１ｄ底壁の開口１ｅの実質面積を可変制御する部材と当該部材の駆動装置が不要なので、本実施例に係るカプセル商品排出装置は従来のカプセル商品排出装置に比べて構成が単純であり、製造コストが低い。
【００１６】
コイルバネは高さ調整する際に扱い易いので、邪魔部材４として好適である。コイルバネから成る邪魔部材４に代えて、高さ調整可能な片持梁状の弾性体から邪魔部材を配設しても良い。
【図面の簡単な説明】
【００１７】
【図１】本考案の実施例に係るカプセル商品排出装置が設置されるカプセル商品自動販売機のストッカーの外観斜視図である。
【図２】図１の状態から蓋を取り去り、且つ一方の区画から傾斜板を取り去った状態でのストッカーの斜視図である。
【図３】図２の部分拡大図である。
【図４】図１の状態から蓋を取り去った状態でのストッカーの斜視図である。
【符号の説明】
【００１８】
Ａ  カプセル商品排出装置
１  カプセル収容部
１ｄ  右区画
１ｄ’左区画
１ｅ、１ｅ’  円形開口
２、２’回転円板
２ａ、２ｂ、２ｃ、２ａ’、２ｂ’、２ｃ’円形開口
３、３’棒状部材
４、４’邪魔部材
６、６’爪部材
６ａ、６ｂ、６ａ’、６ｂ’係止溝
７、７’傾斜板
【図１】
0003139071.tif 000003
【図２】
0003139071.tif 000004
【図３】
0003139071.tif 000005
【図４】
0003139071.tif 000006